(57)【要約】【課題】複数の種類のケーブルを収容可能とするとともに、コンパクトな実装が可能な通信装置を実現すること。【解決手段】屋外防水送信増幅装置１は、ＳＦＰケージ２−２を備える。ＳＦＰケージ２−２は、ＲＪ４５コネクタ４−１を備えたＳＦＰモジュール４及びＬＣコネクタ５−１を備えたＳＦＰモジュール５を収容することができ、両モジュールのいずれかを収容する。【選択図】図１
2009284014.tif 000002
【特許請求の範囲】
【請求項１】
第１のトランシーバモジュール及び第２のトランシーバモジュールを収容することができるケージであって、
前記第１又は第２のトランシーバモジュールのいずれか一を収容するように構成されたことを特徴とするケージ。
【請求項２】
前記両トランシーバモジュールは、ＳＦＰ（Ｓｍａｌｌ  Ｆｏｒｍ−Ｆａｃｔｏｒ  Ｐｌｕｇｇａｂｌｅ）モジュールであることを特徴とする、請求項１に記載のケージ。
【請求項３】
請求項１又は２のいずれか一に記載のケージを備えることを特徴とする通信装置。
【発明の詳細な説明】
【技術分野】
【０００１】
本発明はケージ及び通信装置に関し、特に、トランシーバモジュール用のケージ及び通信装置に関する。
【背景技術】
【０００２】
携帯電話の基地局装置等に使用される通信装置において、移動通信基地局・変復調装置から屋外防水送信増幅装置にギガビットイーサネット（登録商標）（Ｇｉｇａｂｉｔ  Ｅｔｈｅｒｎｅｔ（登録商標））信号をケーブル接続する構成が採られている。図３は、従来の通信装置での、ギガビットイーサネット（登録商標）信号をケーブル接続する構成を示す。
【０００３】
図３は、従来の通信装置の構成を示す図である。移動通信基地局・変復調装置（非図示）から屋外防水送信増幅装置にギガビットイーサネット（登録商標）信号を送る際、伝送距離が短い（〜１００ｍ）場合には、屋外防水ＵＴＰ  Ｃａｔ５ケーブル（接続用ＲＪ４５コネクタ付）８に接続されるＲＪ４５コネクタ内臓・屋外防水コネクタ９を備える屋外防水送信増幅装置１０１ａが設計及び製造されていた。一方、伝送距離が長い（５５０ｍ〜数十ｋｍ）場合には、屋外防水光ケーブル（接続用特殊光コネクタ付）１０に接続される特殊光コネクタ内臓・屋外防水コネクタ１１を備える屋外防水送信増幅装置１０１ｂが設計及び製造されていた。
【０００４】
特許文献１において、基地局とアンテナとの間の距離を実用的に充分な距離まで延すために、伝送線路に光ファイバケーブルを利用した無線電話システムが記載されている。
【０００５】
特許文献２において、光信号を電気信号に変換するためのアクティブ部品を有する光モジュールと、モジュラージャックコネクタを有するとともにＲＪ４５プラグコネクタを受容するのに適したモジュールと、を備えるモジュラ接続システムが記載されている。かかるシステムは、選択されたモジュールに依存して銅用及び光ファイバケーブル用の双方に適合する。
【０００６】
【特許文献１】特開平０８−１４９５４８号公報
【特許文献２】特表２００４−５０９４７１号公報
【発明の開示】
【発明が解決しようとする課題】
【０００７】
以下の分析は、本発明者によってなされたものである。上記の従来方式のように、２種類の屋外防水送信増幅装置１０１ａ、１０１ｂを設計及び製造しなければならない場合には、製造コストの増加や在庫管理費の増加等の問題が生じる。
【０００８】
また、特許文献１の無線電話システムにおいては、基地局とアンテナとの間の距離を延ばすために、同軸ケーブルの代わりに光ケーブルが用いられており、伝送距離に応じてこれらを使い分けることができないという問題がある。
【０００９】
さらに、特許文献２に記載のモジュラ接続システムにおいては、銅用及び光ファイバー用のモジュールが別個に設けられているため、モジュールの実装部がかさばるという問題がある。
【００１０】
そこで、複数の種類のケーブルを収容可能とするとともに、コンパクトな実装が可能な通信装置を実現することが課題となる。
【課題を解決するための手段】
【００１１】
本発明の第１の視点に係るケージは、
第１のトランシーバモジュール及び第２のトランシーバモジュールを収容することができるケージであって、
前記第１又は第２のトランシーバモジュールのいずれか一を収容するように構成されたことを特徴とする。
【００１２】
第１の展開形態のケージは、両トランシーバモジュールが、ＳＦＰ（Ｓｍａｌｌ  Ｆｏｒｍ−Ｆａｃｔｏｒ  Ｐｌｕｇｇａｂｌｅ）モジュールであってもよい。
【００１３】
第２の展開形態の通信装置は、上記ケージを備えることが好ましい。
【発明の効果】
【００１４】
本発明によって、複数の種類のケーブルを収容可能とするとともに、コンパクトな実装が可能な通信装置を実現することができる。
【００１５】
本発明に係るケージは、複数のトランシーバモジュールを収容することができるため、ケーブルの種類に応じてトランシーバモジュールを変更することによって、複数の種類のケーブルを収容することができるからである。また、複数のトランシーバモジュールを択一的に収容可能とすることにより、各トランシーバモジュールを収容するケージを個別に設けた場合と比較して、ケージ部分の省スペース化を図ることができるからである。
【発明を実施するための最良の形態】
【００１６】
本発明の実施形態に係るケージ及び通信装置について、図面を参照して説明する。図１は、本発明の実施形態に係るケージ及び通信装置の構成を示す図である。
【００１７】
図１を参照すると、ギガビットイーサネット（登録商標）信号を送るケーブルとして、伝送距離が短い（〜１００ｍ）場合にはメタルケーブル６が用いられ、伝送距離が長い（５５０ｍ〜数十ｋｍ）場合には光ケーブル７が用いられる。
【００１８】
伝送距離が短い（〜１００ｍ）場合におけるトランシーバモジュールとして、屋外防水ＵＴＰ  Ｃａｔ５ケーブル（接続用ＲＪ４５コネクタ６−１付）６が接続されるＲＪ４５コネクタ４−１付の１０００ＢＡＳＥ−Ｔ対応ＳＦＰ（Ｍｉｎｉ−ＧＢＩＣ）モジュール４が選択される。一方、伝送距離が長い（５５０ｍ〜数十ｋｍ）場合におけるトランシーバモジュールとして、屋外防水光ケーブル（接続用ＬＣコネクタ７−１付）７が接続されるＬＣコネクタ５−１付の１０００ＢＡＳＥ−ＬＸ対応ＳＦＰ（Ｍｉｎｉ−ＧＢＩＣ）モジュール５が選択される。
【００１９】
したがって、伝送距離に応じてＳＦＰ（Ｍｉｎｉ−ＧＢＩＣ）モジュール４、５を交換することによって、１種類の屋外防水送信増幅装置（通信装置）１によって異なる伝送距離に対応することができる。また、伝送距離に応じてＳＦＰモジュールを交換するようにしたことによって、通信装置１のコンパクト化が可能となる。
【実施例】
【００２０】
本発明の実施例に係る通信装置について図面を参照して説明する。図２は、本実施例のケージの詳細な構成を示す図である。
【００２１】
図１及び図２を参照すると、屋外防水送信増幅装置１の外面１−１に実装されている屋外防水コネクタ（レセプタクル）２は、ＳＦＰケージ２−２とＳＦＰ接続コネクタ２−３とを内蔵する。ＳＦＰケージ２−２は、ＳＦＰ（Ｍｉｎｉ−ＧＢＩＣ）モジュール４、５を接続するプリント板２−１に実装されるとともに、接続を誘導する。
【００２２】
屋外防水コネクタ（プラグ）には、メタル接続タイプ屋外防水コネクタ３−１と、光ケーブル接続タイプ屋外防水コネクタ３−２との２種類が有る。
【００２３】
屋外防水コネクタ（レセプタクル）２と屋外防水コネクタ３−１（ないし３−２）とを嵌合したときに、これらは、各種ＳＦＰ（Ｍｉｎｉ−ＧＢＩＣ）モジュールと各種コネクタ接続部を内蔵することができる大きさを有する。
【００２４】
移動通信基地局・変復調装置（非図示）から屋外防水送信増幅装置１にギガビットイーサネット（登録商標）信号を送る際、伝送距離が短い（〜１００ｍ）場合には、屋外防水ＵＴＰ  Ｃａｔ５ケーブル６（接続用ＲＪ４５コネクタ６−１付）とＲＪ４５コネクタ４−１付の１０００ＢＡＳＥ−Ｔ対応のＳＦＰ（Ｍｉｎｉ−ＧＢＩＣ）モジュール４を選択する。
【００２５】
ＳＦＰケージ２−２は、屋外防水コネクタ（レセプタクル）２の中のプリント板２−１に実装されるとともに接続を誘導する。ＲＪ４５コネクタ４−１付の１０００ＢＡＳＥ−Ｔ対応のＳＦＰ（Ｍｉｎｉ−ＧＢＩＣ）モジュール４は、ＳＦＰケージ２−２を介してＳＦＰ接続コネクタ２−３と接続される。また、メタル接続タイプ屋外防水コネクタ３−１と屋外防水コネクタ２とが嵌合される。さらに、ＲＪ４５コネクタ４−１と接続用ＲＪ４５コネクタ６−１とが嵌合される。
【００２６】
伝送距離が長い（５５０ｍ〜数十ｋｍ）場合には、屋外防水光ケーブル７（接続用ＬＣコネクタ７−１付）とＬＣコネクタ５−１付の１０００ＢＡＳＥ−ＬＸ対応のＳＦＰ（Ｍｉｎｉ−ＧＢＩＣ）モジュール５を用いることができる。
【００２７】
ＳＦＰケージ２−２は、屋外防水コネクタ（レセプタクル）２の中のプリント板２−１に実装されるとともに接続を誘導する。ＬＣコネクタ５−１付の１０００ＢＡＳＥ−ＬＸ対応のＳＦＰ（Ｍｉｎｉ−ＧＢＩＣ）モジュール５は、ＳＦＰケージ２−２を介してＳＦＰ接続コネクタ２−３と接続される。また、屋外防水光ケーブル７（接続用ＬＣコネクタ７−１付）の屋外防水コネクタ（プラグ）３−２と屋外防水コネクタ２とが嵌合される。さらに、ＬＣコネクタ５−１と接続用ＬＣコネクタ７−１とが嵌合される。
【００２８】
以上の記載は実施例に基づいて行ったが、本発明は、上記実施例に限定されるものではない。
【産業上の利用可能性】
【００２９】
本発明に係る通信装置は、自動車、船舶、航空機等の移動体を対象とする移動体屋外通信装置において利用することができる。
【図面の簡単な説明】
【００３０】
【図１】本発明の実施形態に係るケージ及び通信装置の構成を示す図である。
【図２】本発明の実施形態に係るケージの詳細な構成を示す図である。
【図３】従来の通信装置の構成を示す図である。
【符号の説明】
【００３１】
１、１０１ａ、１０１ｂ  屋外防水送信増幅装置（通信装置）
１−１  外面
２  屋外防水コネクタ（レセプタクル）
２−１  プリント板
２−２  ＳＦＰケージ
２−３  ＳＦＰ接続コネクタ
３−１  メタル接続タイプ屋外防水コネクタ
３−２  光ケーブル接続タイプ屋外防水コネクタ
４、５  ＳＦＰ（Ｍｉｎｉ−ＧＢＩＣ）モジュール
４−１  ＲＪ４５コネクタ
５−１  ＬＣコネクタ
６、８  メタルケーブル（屋外防水ＵＴＰ  Ｃａｔ５ケーブル）
６−１  接続用ＲＪ４５コネクタ
７、１０  光ケーブル（屋外防水光ケーブル）
７−１  接続用ＬＣコネクタ
９  ＲＪ４５コネクタ内臓・屋外防水コネクタ
１１  特殊光コネクタ内臓・屋外防水コネクタ
【図１】
2009284014.tif 000003
【図２】
2009284014.tif 000004
【図３】
2009284014.tif 000005